(57)【要約】【課題】  取り扱いが簡単で、安価に製作することができ、沈降汚泥の色や沈降状況などを直接観察することも可能な汚泥界面計を提供する。【解決手段】  汚泥沈殿池の内部に挿入されるアクリル管などの透明管状体１の下端に、挿入時には内向きに開き、引き上げ時には閉じる逆止弁３を設ける。また透明管状体１の側面には、透明管状体の汚泥沈殿池への挿入深さ及び透明管状体の内部に残された汚泥界面位置を読み取る目盛り８を付ける。この汚泥界面計を汚泥沈殿池に垂直に挿入し、一度止めてから引き上げると逆止弁３が作用するため、水や汚泥が逆流することなくそのまま封入され、汚泥界面の位置が測定できる。【選択図】    図１
2005127734.tif 000002
【特許請求の範囲】
【請求項１】
汚泥沈殿池の内部に挿入される透明管状体の下端に、挿入時には内向きに開き、引き上げ時には閉じる逆止弁を設けるとともに、この透明管状体の側面には、透明管状体の汚泥沈殿池への挿入深さ及び透明管状体の内部に残された汚泥界面位置を読み取る目盛りを付けたことを特徴とする汚泥界面計。
【請求項２】
透明管状体が、透明樹脂管であることを特徴とする請求項１記載の汚泥界面計。
【請求項３】
透明管状体が、分割・接続可能なものであることを特徴とする請求項１記載の汚泥界面計。
【請求項４】
逆止弁が、ボールバルブであることを特徴とする請求項１記載の汚泥界面計。
【発明の詳細な説明】
【技術分野】
【０００１】
本発明は、浄化槽を運転する際に、汚泥沈殿池の汚泥界面の深さを測定するために用いられる汚泥界面計に関するものである。
【背景技術】
【０００２】
例えば高速道路のサービスエリアなどから排出される下水や屎尿を浄化処理するためには、従来から活性汚泥法が広く用いられている。活性汚泥法は曝気槽と汚泥沈殿池とを組み合わせた浄化槽を用い、曝気槽において好気性微生物を利用した活性汚泥により有機物の生物処理を行い、その流出水を汚泥沈殿池に導いて汚泥を沈降分離させ、上澄水を処理水として放出する方法である。沈降した汚泥は脱水処理されて脱水ケーキとなり、焼却その他の方法により処理される。
【０００３】
上記のような処理を円滑に行うためには、浄化槽の運転状況を定期的に観察することが必要であり、特に汚泥沈殿池における汚泥引き抜きのタイミングを予測したり、引き抜き量を決定するために、汚泥沈殿池の汚泥界面の深さを測定することが重要である。
【０００４】
この目的で使用される汚泥界面計としては、特許文献１に示されるようにマイクロ波を用いたものや、特許文献２に示されるように光センサを用いたものが知られている。特許文献１に示される汚泥界面計は、汚泥沈殿池内に固定した垂直パイプに多数のアンテナを設置しておき、汚泥界面の位置によってアンテナ間のマイクロ波の伝搬位相遅れが変化することを利用して汚泥界面を測定するものである。
【０００５】
また特許文献２に示される汚泥界面計は、発光部と光センサとを備えた測定ヘッドを昇降ガイドに沿って汚泥沈殿池内に降下させ、上澄水部分と沈降汚泥部分における受光量の差を利用して汚泥界面を測定するものである。
【０００６】
しかし上記のような汚泥界面計は何れも高価な精密機器であり、使用後に洗浄作業が必要で取り扱いにも神経を使うため、小規模な浄化槽の汚泥界面を測定するには使い勝手が悪かった。またこれらの自動式の汚泥界面計は汚泥界面の高さを測定できるだけであり、浄化槽の運転管理に有益な沈降汚泥の色や沈降状況などの汚泥性状を観察することはできないという問題もあった。
【特許文献１】特開２０００−２４１２３２号公報
【特許文献２】特開２００２−２８６５２７号公報
【発明の開示】
【発明が解決しようとする課題】
【０００７】
本発明は上記した従来の問題点を解決して、取り扱いが簡単で、安価に製作することができ、しかも従来品と同等の精度で汚泥界面高さを測定できるうえ、沈降汚泥の色や沈降状況などを直接観察することも可能な汚泥界面計を提供するためになされたものである。
【課題を解決するための手段】
【０００８】
上記の課題を解決するためになされた本発明は、汚泥沈殿池の内部に挿入される透明管状体の下端に、挿入時には内向きに開き、引き上げ時には閉じる逆止弁を設けるとともに、この透明管状体の側面には、透明管状体の汚泥沈殿池への挿入深さ及び透明管状体の内部に残された汚泥界面位置を読み取る目盛りを付けたことを特徴とするものである。なお、透明管状体が透明樹脂管であることが好ましく、透明管状体が分割・接続可能なものであることが好ましい。また逆止弁としては、ボールバルブを使用することができる。
【発明の効果】
【０００９】
本発明の汚泥界面計は、透明管状体を汚泥沈殿池の内部に静かに垂直に挿入してその内部に水及び沈降汚泥を取り込み、その後に透明管状体を引き上げるという簡単な方法で使用できる。引き上げの際には下端の逆止弁が閉じるために、透明管状体内の下部には沈降汚泥が、また上部には水がそのまま残り、汚泥沈殿池の内部がそのまま反映された状態で引き上げられる。そこで透明管状体の側面の目盛りにより汚泥沈殿池への挿入深さ及び透明管状体の内部に残された汚泥界面位置を読み取れば、汚泥界面高さを数ｃｍの精度で測定することができる。さらに、従来の汚泥界面計では難しい汚泥の性状や色などを、目で直接確認することができる。この汚泥界面計は取り扱いが簡単で、安価に製作することができ、しかも従来品と同等の精度で汚泥界面高さを測定できる。
【発明を実施するための最良の形態】
【００１０】
以下に本発明の好ましい実施形態を示す。
図１は本発明の第１の実施形態を示すもので、１はアクリル樹脂のような透明樹脂からなる透明管状体である。浄化槽の規模により異なるが、一般に汚泥沈殿池の水深は数ｍ〜１０ｍ程度であるため、透明管状体１もそれに対応する長さを必要とする。この実施形態では管継手２を利用して全体を分割・接続可能とし、自動車に積載して運搬するのに便利なようにしてある。
【００１１】
この透明管状体１の上端は開放されているが、下端には逆止弁３が設けられている。この実施形態では図２に示すように、ボールバルブ式の逆止弁３が用いられている。この逆止弁３は弁室４の内部に比重が１よりもやや大きいボール５を収納したもので、弁室４の下面には透明管状体１の内径と等しい内径の孔６が形成され、ボール５の直径をこの孔６よりも大きくして孔６の上端のシール面７をボール５がシールできるようにしておく。
【００１２】
この逆止弁３は、図３に示すように透明管状体１を汚泥沈殿池の内部に静かに挿入するときには、孔６から浸入する水流によってボール５が持ち上げられてシール面７から離れ、水流あるいは沈降汚泥は弁室４を通過して透明管状体１の内部に入る。しかし透明管状体１を引き上げるときには透明管状体１の内部水圧によってボール５がシール面７に密着し、透明管状体１の内部に入った水や汚泥をそのまま透明管状体１の内部に残す。このように、逆止弁３は挿入時には内向きに開き、引き上げ時には閉じる機能を備えたものである。
【００１３】
透明管状体１の側面には、図１に示すように所定範囲にわたり目盛り８を入れておく。この目盛り８は例えば１ｃｍ間隔であり、透明管状体１の汚泥沈殿池への挿入深さ及び透明管状体１０の内部に残された汚泥の界面位置を読み取るためのものである。
【００１４】
本発明の第２の実施形態では、図４に示すように逆止弁３として上下方向に揺動できる平板９が使用されている。この平板９は、透明管状体１を汚泥沈殿池の内部に挿入するときには下端から浸入する水流によって内向きに開き、引き上げるときには透明管状体１の内部水圧によってシール面１０に密着し、透明管状体１の内部に入った水や汚泥をそのまま透明管状体１の内部に残す機能を備えたものである。
【００１５】
このように構成された本発明の汚泥界面計を使用するには、図３に示すように汚泥沈殿池の内部に透明管状体１を静かに垂直に挿入する。挿入深さは底に着くまでであってもよく、沈降汚泥層に達すれば途中までであってもよい。挿入時には前記したように逆止弁３を介してその内部に水及び沈降汚泥が取り込まれる。その後に透明管状体１を引き上げれば、下端の逆止弁３が閉じて透明管状体１の内部に水及び沈降汚泥が封入され、汚泥沈殿池の内部がそのまま反映された状態で引き上げられる。
【００１６】
水面上まで引き上げたうえで、図５のように透明管状体１の側面の目盛り８により汚泥沈殿池への挿入深さＡ及び透明管状体１の内部に残された汚泥界面位置Ｂを読み取れば、図３に示すようにその差Ａ−Ｂから汚泥界面高さＣを数ｃｍの精度で容易に測定することができる。この検出精度は従来の自動式の汚泥界面計の検出精度と比較して同等以上である。また、透明管状体１の壁面を通じて内部に封入された汚泥の色や沈降状態などを、肉眼により直接確認することができる。
【００１７】
なお、上記の実施形態では透明管状体１として全体が透明なアクリル樹脂管を用いたが、長さ方向に透明なスリット状の窓を持つ金属管を使用することもできる。また逆止弁３も実施形態に示した構造に限定されるものではない。
【図面の簡単な説明】
【００１８】
【図１】本発明の第１の実施形態を示す正面図である。
【図２】第１の実施形態の逆止弁を示す断面図である。
【図３】汚泥沈殿池に挿入した状態を示す断面図である。
【図４】第２の実施形態の逆止弁を示す断面図である。
【図５】引き上げた状態を示す正面図である。
【符号の説明】
【００１９】
１  透明管状体
２  管継手
３  逆止弁
４  弁室
５  ボール
６  孔
７  シール面
８  目盛り
９  平板
１０  シール面
【図１】
2005127734.tif 000003
【図２】
2005127734.tif 000004
【図３】
2005127734.tif 000005
【図４】
2005127734.tif 000006
【図５】
2005127734.tif 000007